(57)【要約】【課題】利用者が意識することなく、生体情報を外部装置へ伝送し蓄積する。【解決手段】計測手段１０１が生体の生体情報を計測する。第１記憶手段１０３が生体情報を記憶する。検出手段１０７が生体が生体情報管理装置に接触しているか否かを検出する。送信手段１０４が、生体が生体情報管理装置に接触していると検出された場合に、生体情報を生体を通じて生体情報管理装置に送信する。中止手段１０２が、生体が生体情報管理装置に接触していないと検出された場合に、生体情報の送信を中止する。第２記憶手段１０８が中止された生体情報のデータ中止位置を記憶する。生体情報計測装置１３は以上の構成を備える。生体情報管理装置２３が、生体情報を生体を通じて生体情報計測装置から受信する受信手段２０４と、受信された生体情報を記憶する第３記憶手段２０３を備える。【選択図】    図３
2005021344.tif 000002
【特許請求の範囲】
【請求項１】
生体に装着される生体情報計測装置と、該生体情報計測装置から生体情報を取得する生体情報管理装置を具備する生体情報計測通信システムにおいて、
前記生体の生体情報を計測する計測手段と、該生体情報を記憶する第１記憶手段と、前記生体が前記生体情報管理装置に接触しているか否かを検出する検出手段と、前記生体が前記生体情報管理装置に接触していると検出された場合に、前記生体情報を生体を通じて前記生体情報管理装置に送信する送信手段と、前記生体が前記生体情報管理装置に接触していないと検出された場合に、前記生体情報の送信を中止する中止手段と、前記中止された生体情報のデータ中止位置を記憶する第２記憶手段を備える前記生体情報計測装置と、
前記生体情報を生体を通じて前記生体情報計測装置から受信する生体情報受信手段と、該受信された生体情報を記憶する第３記憶手段を備える前記生体情報管理装置を具備する生体情報計測通信システム。
【請求項２】
生体に装着される生体情報計測装置と、該生体情報計測装置から生体情報を取得する生体情報管理装置を具備する生体情報計測通信システムにおいて、
前記生体の生体情報を計測する計測手段と、該生体情報を記憶する第１記憶手段と、前記生体情報管理装置からの送信要求信号を生体を通じて受信する第１受信手段と、前記送信要求信号が受信された場合に、前記生体情報を生体を通じて前記生体情報管理装置に送信する第１送信手段と、前記生体情報管理装置から受信完了信号を生体を通じて受信する第２受信手段と、前記送信した生体情報のデータ開始位置を記憶する第２記憶手段を備える前記生体情報計測装置と、
前記生体が前記生体情報計測装置に接触しているか否かを検出する検出手段と、前記生体が前記生体情報計測装置に接触していると検出された場合に、前記送信要求信号を生体を通じて前記生体情報計測装置に送信する第２送信手段と、前記生体情報を生体を通じて前記生体情報計測装置から受信する生体情報受信手段と、該受信された生体情報を記憶する第３記憶手段と、前記受信完了信号を生体を通じて前記生体情報計測装置に送信する第３送信手段を備える前記生体情報管理装置を具備する生体情報計測通信システム。
【請求項３】
前記生体情報計測装置と前記生体情報管理装置との間で送受信される前記生体情報は、１データ単位で生体を通じて送受信されることを特徴とする請求項１又は請求項２に記載の生体情報計測通信システム。
【請求項４】
前記第１送信手段は、前記生体情報を１データ単位で生体を通じて送信し、前記第２記憶手段は、前記生体情報を１データ単位で送信してから所定の期間が経過しても、前記受信完了信号が受信されない場合に、前記送信した生体情報のデータ開始位置を記憶し、前記第３送信手段は、１データ単位の前記生体情報を受信するごとに前記受信完了信号を生体を通じて前記生体情報計測装置に送信することを特徴とする請求項２に記載の生体情報計測通信システム。
【請求項５】
前記生体情報計測装置は、さらに、
固有の識別情報を記憶する記憶手段と、
前記生体情報を生体を通じて前記生体情報管理装置に送信する場合に、該生体情報に前記識別情報を付加する付加手段を具備することを特徴とする請求項１から請求項４のいずれかに記載の生体情報計測通信システム。
【請求項６】
前記生体情報管理装置は、さらに、
前記識別情報に基づいて、前記生体情報計測装置のユーザを識別する識別手段を具備することを特徴とする請求項１から請求項５のいずれかに記載の生体情報計測通信システム。
【請求項７】
前記生体情報管理装置は、さらに、
指紋を検出する検出手段と、
前記検出した指紋に基づいて、前記生体情報計測装置のユーザを識別する識別手段を具備することを特徴とする請求項１から請求項６のいずれかに記載の生体情報計測通信システム。
【請求項８】
前記第３記憶手段は、前記識別されたユーザに対応してユーザ別の生体情報を記憶することを特徴とする請求項１から請求項７のいずれかに記載の生体情報計測通信システム。
【請求項９】
前記生体情報管理装置は、さらに、
電話回線を介して前記受信した生体情報を送信する送信手段を具備することを特徴とする請求項１から請求項８のいずれかに記載の生体情報計測通信システム。
【請求項１０】
前記生体情報管理装置は、さらに、
該生体情報管理装置が設置されている位置情報を記憶している位置情報記憶手段を具備することを特徴とする請求項１から請求項９のいずれかに記載の生体情報計測通信システム。
【請求項１１】
前記生体情報受信手段は複数個配置されることを特徴とする請求項１から請求項１０のいずれかに記載の生体情報計測通信システム。
【請求項１２】
生体に装着される計測モジュールと生体情報を記憶する記憶モジュールを備える生体情報計測システムと、該生体情報計測システムから生体情報を取得する取得モジュールと該取得した生体情報を管理する管理モジュールを備える生体情報管理システムを具備する生体情報計測通信システムにおいて、
前記生体の生体情報を計測する計測手段と、該計測された生体情報を前記記憶モジュールに送信する第１送信手段を含む前記計測モジュールと、
前記送信された生体情報を受信する第１受信手段と、該受信された生体情報を記憶する第１記憶手段と、前記生体が前記取得モジュールに接触しているか否かを検出する検出手段と、前記生体が前記取得モジュールに接触していると検出された場合は、前記生体情報を生体を通じて前記取得モジュールに送信する第２送信手段と、前記生体が前記取得モジュールに接触していないと検出された場合は、前記生体情報の送信を中止する中止手段と、前記中止された生体情報のデータ中止位置を記憶する第２記憶手段を含む前記記憶モジュールを備える前記生体情報計測システムと、
前記生体情報を生体を通じて前記記憶モジュールから受信する第２受信手段と、該受信された生体情報を前記管理モジュールに送信する第３送信手段を含む前記取得モジュールと、
前記生体情報を前記取得モジュールから受信する第３受信手段と、該受信された生体情報を記憶する第３記憶手段を含む前記管理モジュールを備える前記生体情報管理システムを具備する生体情報計測通信システム。
【請求項１３】
生体に装着される計測モジュールと生体情報を記憶する記憶モジュールを備える生体情報計測システムと、該生体情報計測システムから生体情報を取得する取得モジュールと該取得した生体情報を管理する管理モジュールを備える生体情報管理システムを具備する生体情報計測通信システムにおいて、
前記生体の生体情報を計測する計測手段と、該計測された生体情報を前記記憶モジュールに送信する第１送信手段を含む前記計測モジュールと、
前記送信された生体情報を受信する第１受信手段と、該受信された生体情報を記憶する第１記憶手段と、前記取得モジュールからの送信要求信号を生体を通じて受信する第２受信手段と、該送信要求信号が受信された場合に、前記生体情報を生体を通じて前記取得モジュールに送信する第２送信手段と、前記取得モジュールからの受信完了信号を生体を通じて受信する第３受信手段と、前記送信した生体情報のデータ開始位置を記憶する第２記憶手段を含む前記記憶モジュールを備える前記生体情報計測システムと、
前記生体が前記計測モジュールに接触しているか否かを検出する検出手段と、前記生体が前記計測モジュールに接触していると検出された場合に、前記送信要求信号を生体を通じて前記計測モジュールに送信する第３送信手段と、前記生体情報を生体を通じて前記計測モジュールから受信する第４受信手段と、該受信された生体情報を前記管理手段に送信する第４送信手段と、前記生体情報を受信するごとに前記受信完了信号を生体を通じて前記計測モジュールに送信する第５送信手段を含む前記取得モジュールと、
前記生体情報を前記取得手段から受信する第５受信手段と、該生体情報を記憶する第３記憶手段を含む前記管理モジュールを備える前記生体情報管理システムを具備する生体情報計測通信システム。
【発明の詳細な説明】
【０００１】
【発明の属する技術分野】
本発明は、利用者が携帯あるいは装着した装置と外部の装置との間で生体情報の通信を行う生体情報計測通信システムに関する。
【０００２】
【従来の技術】
従来、利用者が携帯あるいは装着した装置のデータを外部の装置へ伝送する際の手段として、有線を用いて外部装置と直接接続する方法や、無線を用いて通信する方法、記録メディアを介してデータのやりとりを行う方法などがある。有線を用いる方法は、通信を行うたびに直接接続しなければならなく、またケーブルが邪魔になってしまう問題がある。一方、無線を用いることによって、ケーブルをなくすことはできるが、通信に要する消費電力が大きく、また通信内容を傍受されてしまう危険性もある。メディアを利用する方法は、有線を用いる場合同様、手間がかかる。
【０００３】
そこで、人体自体を通信路としてデータ通信を行うという方法がある。人体から人体へ、人体から外部装置などへ人体を通じてデータ通信を実現する方法である（例えば、特許文献１参照）。
【０００４】
【特許文献１】
特開２００２−２７１２７４公報
【０００５】
【発明が解決しようとする課題】
しかし、これまで提案されている人体を通じてのデータ通信は、データ通信を行うために通信相手、通信先に接触しなければならず、また、通信が終わるまでは接触し続けなければならないという問題がある。
【０００６】
そこで、本発明は、日常生活において収集された生体情報を、日常生活の中で利用者が意識することなく、データを外部の装置へ伝送し外部装置に蓄積する生体情報計測通信システムを提供することを目的とする。
【０００７】
【課題を解決するための手段】
本発明の生体情報計測通信システムは、生体に装着される生体情報計測装置と、生体情報計測装置から生体情報を取得する生体情報管理装置を具備する生体情報計測通信システムにおいて、
生体の生体情報を計測する計測手段と、生体情報を記憶する第１記憶手段と、生体が生体情報管理装置に接触しているか否かを検出する検出手段と、生体が生体情報管理装置に接触していると検出された場合に、生体情報を生体を通じて生体情報管理装置に送信する送信手段と、生体が生体情報管理装置に接触していないと検出された場合に、生体情報の送信を中止する中止手段と、中止された生体情報のデータ中止位置を記憶する第２記憶手段を備える生体情報計測装置と、
生体情報を生体を通じて生体情報計測装置から受信する生体情報受信手段と、受信された生体情報を記憶する第３記憶手段を備える生体情報管理装置を備えている。
【０００８】
本発明の生体情報計測通信システムは、生体に装着される生体情報計測装置と、生体情報計測装置から生体情報を取得する生体情報管理装置を具備する生体情報計測通信システムにおいて、
生体の生体情報を計測する計測手段と、生体情報を記憶する第１記憶手段と、生体情報管理装置からの送信要求信号を生体を通じて受信する第１受信手段と、送信要求信号が受信された場合に、生体情報を生体を通じて生体情報管理装置に送信する第１送信手段と、生体情報管理装置から受信完了信号を生体を通じて受信する第２受信手段と、送信した生体情報のデータ開始位置を記憶する第２記憶手段を備える生体情報計測装置と、
生体が生体情報計測装置に接触しているか否かを検出する検出手段と、生体が生体情報計測装置に接触していると検出された場合に、送信要求信号を生体を通じて生体情報計測装置に送信する第２送信手段と、生体情報を生体を通じて生体情報計測装置から受信する生体情報受信手段と、受信された生体情報を記憶する第３記憶手段と、受信完了信号を生体を通じて生体情報計測装置に送信する第３送信手段を備える生体情報管理装置を備えている。
【０００９】
本発明の生体情報計測通信システムは、生体に装着される計測モジュールと生体情報を記憶する記憶モジュールを備える生体情報計測システムと、生体情報計測システムから生体情報を取得する取得モジュールと取得した生体情報を管理する管理モジュールを備える生体情報管理システムを具備する生体情報計測通信システムにおいて、
生体の生体情報を計測する計測手段と、計測された生体情報を記憶モジュールに送信する第１送信手段を含む計測モジュールと、
送信された生体情報を受信する第１受信手段と、受信された生体情報を記憶する第１記憶手段と、生体が取得モジュールに接触しているか否かを検出する検出手段と、生体が取得モジュールに接触していると検出された場合は、生体情報を生体を通じて取得モジュールに送信する第２送信手段と、生体が取得モジュールに接触していないと検出された場合は、生体情報の送信を中止する中止手段と、中止された生体情報のデータ中止位置を記憶する第２記憶手段を含む記憶モジュールを備える生体情報計測システムと、
生体情報を生体を通じて記憶モジュールから受信する第２受信手段と、受信された生体情報を管理モジュールに送信する第３送信手段を含む取得モジュールと、
生体情報を取得モジュールから受信する第３受信手段と、受信された生体情報を記憶する第３記憶手段を含む管理モジュールを備える生体情報管理システムを備えている。
【００１０】
本発明の生体情報計測通信システムは、生体に装着される計測モジュールと生体情報を記憶する記憶モジュールを備える生体情報計測システムと、生体情報計測システムから生体情報を取得する取得モジュールと取得した生体情報を管理する管理モジュールを備える生体情報管理システムを具備する生体情報計測通信システムにおいて、
生体の生体情報を計測する計測手段と、計測された生体情報を記憶モジュールに送信する第１送信手段を含む計測モジュールと、
送信された生体情報を受信する第１受信手段と、受信された生体情報を記憶する第１記憶手段と、取得モジュールからの送信要求信号を生体を通じて受信する第２受信手段と、送信要求信号が受信された場合に、生体情報を生体を通じて取得モジュールに送信する第２送信手段と、取得モジュールからの受信完了信号を生体を通じて受信する第３受信手段と、送信した生体情報のデータ開始位置を記憶する第２記憶手段を含む記憶モジュールを備える生体情報計測システムと、
生体が計測モジュールに接触しているか否かを検出する検出手段と、生体が計測モジュールに接触していると検出された場合に、送信要求信号を生体を通じて計測モジュールに送信する第３送信手段と、生体情報を生体を通じて計測モジュールから受信する第４受信手段と、受信された生体情報を管理手段に送信する第４送信手段と、生体情報を受信するごとに受信完了信号を生体を通じて計測モジュールに送信する第５送信手段を含む取得モジュールと、
生体情報を取得手段から受信する第５受信手段と、生体情報を記憶する第３記憶手段を含む管理モジュールを備える生体情報管理システムを備えている。
【００１１】
以上の構成によれば、身体に装着して生体情報を計測し、計測したデータを人体を通して外部へ送信可能な生体情報計測通信システムを提供することが可能になる。また、日常生活において収集された生体情報を、日常生活の中で利用者が意識することなく、データを外部の装置へ伝送し外部装置に蓄積することが可能になる。
生体情報計測通信装置が生体情報管理装置に生体情報を送信中に生体情報計測通信装置の利用者が生体情報管理装置から非接触状態になり送信が中断しても、その後、送信が再開された際には中断した生体情報から情報を送信することができる。したがって、生体情報の通信が終わるまでは接触し続けなければならないことはなくなり、効率的かつ利便性の高いデータ通信が可能になる。
【００１２】
【発明の実施の形態】
以下、本発明の実施形態に係る生体情報計測通信システムについて図面を参照して説明する。
図１は、本発明の実施形態に係る生体情報計測通信システムの機能ブロック図である。
本実施形態に係る生体情報計測通信システムは、生体情報計測通信装置１０と生体情報管理装置２０からなる。
生体情報計測通信装置１０は、生体情報計測部１０１、制御部１０２、生体情報蓄積部１０３、及び第１通信部１０４から構成され、利用者の身体の任意の一部に装着又は利用者に携帯される。他に、生体情報計測通信装置１０は、生体であれば人間には限定されず、例えば動物に装着することも可能である。また、生体情報管理装置２０は、接触検知部２０１、制御部２０２、生体情報管理部２０３、第２通信部２０４から構成される。
【００１３】
生体情報計測部１０１は、脈拍、温度、発汗、血圧、血糖値、体脂肪、加速度あるいは角速度、又はその両方による動作情報など、利用者の生体情報を計測する機能を少なくとも一つ有している。
制御部１０２は、生体情報計測部１０１により計測された生体情報を処理する。また、制御部１０２は、生体情報蓄積部１０３に計測された生体情報を蓄積する制御も行う。さらに、制御部１０２は、第１通信部１０４が行うデータの送受信の制御も行う。
第１通信部１０４は、生体情報蓄積部１０３に蓄積した生体情報を生体情報計測通信装置１０を装着している利用者の人体を通じて外部へ送信する。また、第１通信部１０４は、第２通信部２０４から送信要求信号及び受信確認信号を受信する場合もある。ここで、人体を利用して送信する手段には、回路型、静電結合型、導波管型などが利用可能であるが、それらのうちどれを用いても良い。
【００１４】
一方、接触検知部２０１は、利用者が生体情報管理装置２０に接触しているか否かを検知する。
制御部２０２は、接触検知部２０１により利用者が生体情報管理装置２０に接触しているか否かを判断する。制御部２０２が利用者が生体情報管理装置２０に接触していると判断した場合は、第２通信部２０４が受信した生体情報を生体情報管理部２０３に送る。
生体情報管理部２０３は、制御部２０２により送られてきた生体情報計測部１０１を装着している利用者の生体情報を管理する。
第２通信部２０４は、第１通信部１０４から送信される生体情報を利用者の人体を通じて受信する。
【００１５】
図２は、本発明の実施形態に係る生体情報計測通信システムの第１変形例の機能ブロック図である。図１の生体情報計測通信システムと同様な装置部分は同一の符号を付して詳細な説明を省略する。
図２の第１変形例は、図１の生体情報計測通信システムにおいて、生体情報計測通信装置１０及び生体情報管理装置２０をそれぞれ２つのモジュールに分離したものである。すなわち、生体情報計測通信装置１０は生体情報蓄積モジュール１１と生体情報計測モジュール１２に分離され、生体情報管理装置２０は接触検知モジュール２１と生体情報管理モジュール２２に分離される。
【００１６】
生体情報蓄積モジュール１１は、制御部１０２、生体情報蓄積部１０３、及び第１通信部１０４を備えている。第１通信部１０４は、生体情報計測モジュール１２において計測された生体情報を第３通信部１０６から、生体情報計測モジュール１２を装着している利用者の人体を通じて受信する。制御部１０２は、第３通信部１０６が受信した生体情報を生体情報蓄積部１０３に移動し、そこに蓄積する。さらに、第１通信部１０４は、生体情報蓄積部１０３に蓄積されている生体情報を接触検知モジュール２１に向けて生体情報計測モジュール１２を装着している利用者の人体を通じて送信する。なお、第１通信部１０４と第３通信部１０６との間の情報の送受信は無線でも有線でも構わない。
【００１７】
生体情報計測モジュール１２は、生体情報計測部１０１、制御部１０５、及び第３通信部１０６を備えている。第３通信部１０６は、生体情報計測モジュール１２を装着している利用者の、生体情報計測部１０１が計測した生体情報を、生体情報計測モジュール１２を装着している利用者の人体を通じて第１通信部１０４に送信する。制御部１０５は、生体情報計測部１０１が計測した生体情報を、第３通信部１０６に移動させる等の制御を行う。
【００１８】
一方、接触検知モジュール２１は、接触検知部２０１、制御部２０２、及び第２通信部２０４を備えている。接触検知部２０１が生体情報計測モジュール１２を装着している利用者が接触検知モジュール２１に接触しているか否かを検知して、その情報を制御部２０２に出力する。制御部２０２は、利用者が生体情報管理装置２０に接触しているか否かを判断し、接触していると判断した場合は、利用者の人体を通じて第１通信部１０４から利用者の生体情報を受信する。
【００１９】
生体情報管理モジュール２２は、生体情報管理部２０３、制御部２０５、及び第４通信部２０６を備えている。第４通信部２０６は、接触検知モジュール２１が受信した生体情報を第２通信部２０４から受信する。制御部２０５は、第２通信部２０４が受信した生体情報を生体情報管理部２０３に移動させ、そこに生体情報を蓄積させる。なお、第２通信部２０４と第４通信部２０６との間の情報の送受信は無線でも有線でも構わない。また、電話回線によって第２通信部２０４と第４通信部２０６との間の情報の送受信が行われてもよい。
【００２０】
図３は、本発明の実施形態に係る生体情報計測通信システムの第２変形例の機能ブロック図である。図１及び図２の生体情報計測通信システムと同様な装置部分は同一の符号を付して詳細な説明を省略する。
図３の第２変形例は、図１の生体情報計測通信システムにおいて、生体情報計測通信装置１０及び生体情報管理装置２０のそれぞれに新たなブロックを追加したものである。追加されたブロックが備えている機能が新たに生体情報計測通信装置１０及び生体情報管理装置２０に追加される。新たな機能が追加された生体情報計測通信装置１０及び生体情報管理装置２０に対応するものが、それぞれ図３の生体情報計測通信装置１３及び生体情報管理装置２３である。さらに、生体情報管理装置２３はサーバ３０に接続して、生体情報管理装置２３が生体情報計測通信装置１３から受信した生体情報をサーバ３０に送信することが可能である。この生体情報管理装置２３とサーバ３０の接続は有線でも無線でも構わず、例えば電話回線で接続される。
【００２１】
生体情報計測通信装置１３は、生体情報計測通信装置１０の構成に加えて新たに、接触検知部１０７及びメモリ１０８を備えている。接触検知部１０７は、生体情報計測通信装置１３を装着している利用者が生体情報管理装置２３に接触しているか否かを検知する。メモリ１０８は、利用者の識別情報、すなわち例えばＩＤ、生体情報計測通信装置１３のシリアル番号を記憶している。また、メモリ１０８は、生体情報蓄積部１０３から取得して第１通信部１０４が送信した生体情報の最終位置を記憶する。
【００２２】
制御部１０２は、生体情報計測通信装置１３の利用者が生体情報管理装置２３に接触しているか否かを判断し、その判断結果に依存して、第１通信部１０４から生体情報蓄積部１０３に蓄積されている生体情報の送信を制御する。制御部１０２は、利用者が生体情報管理装置２３に接触している場合は、生体情報を第１通信部１０４によって生体情報管理装置２３に送信するよう制御する。一方、利用者が生体情報管理装置２３に接触しなくなった場合は、制御部１０２は、第１通信部１０４が生体情報の送信を中止するように制御する。また、制御部１０２は、利用者が生体情報管理装置２３に接触していない場合は、第１通信部１０４が生体情報の送信を停止したままでいるように制御する。
【００２３】
さらに、制御部１０２は、生体情報計測通信装置１３の利用者が生体情報管理装置２３に接触していてその後接触しなくなった場合に、接触しなくなった時点で送信していた生体情報を検出し、送信済である生体情報の最後の位置をメモリ１０８に記憶させる。その後、生体情報計測通信装置１３が生体情報管理装置２３に接触したと制御部１０２が判断した場合は、制御部１０２は、メモリ１０８に記憶されている生体情報の最後の位置の直後の位置から生体情報を生体情報管理装置２３に送信するように第１通信部１０４を制御する。
【００２４】
したがって、生体情報計測通信装置１３が生体情報管理装置２３に生体情報を送信中に生体情報計測通信装置１３の利用者が生体情報管理装置２３から非接触状態になり送信が中断しても、その後送信が再開された際には中断した生体情報から情報を送信することができる。本実施形態によれば、生体情報の通信が終わるまでは接触し続けなければならないことはなくなり、効率的かつ利便性の高いデータ通信が可能になる。
【００２５】
また、メモリ１０８に記憶されている識別情報も生体情報管理装置２３に送信することにより、生体情報管理装置２３は識別情報ごとに生体情報を管理することが可能になる。
【００２６】
一方、生体情報管理装置２３は、生体情報管理装置２０の構成に加えて新たに、電話通信部２０７、指紋センサ２０８、環境計測部２０９、時計２１０、及びメモリ２１１を備えている。電話通信部２０７は、サーバ３０に接続しており、生体情報管理部２０３に管理されている生体情報をサーバ３０に送信する。指紋センサ２０８は、生体情報計測通信装置１３の利用者が生体情報管理装置２３に接触した際に、利用者の指紋を取得し指紋から利用者を特定する。環境計測部２０９は、生体情報管理装置２３が設置されている場所の気温、湿度、及び気圧等の環境情報を計測する。時計２１０は、現在時刻を示す。メモリ２１１は、生体情報管理装置２３に関する情報を記憶している。メモリ２１１は、例えば、生体情報管理装置２３の位置情報を記憶している。
【００２７】
制御部２０２は、指紋センサ２０８が取得した指紋から利用者を識別し、利用者ごとに制御を変える。例えば、制御部２０２は、取得した指紋に基づいて、利用者ごとに生体情報を管理するように生体情報管理部２０３に指示する。
また、制御部２０２は、生体情報計測通信装置１３から受信した生体情報と、環境計測部２０９で計測された環境情報を合わせて、生体情報管理部２０３に記憶させ、管理させる。この結果、利用者の生体情報とそれが取得された際の環境情報をリンクすることができ、生体情報管理部２０３がある期間、生体情報を取得することにより環境変化による利用者の生体情報を管理することが可能になる。また、制御部２０２は、生体情報計測通信装置１３から生体情報を受信した受信時刻を時計２１０から取得して、生体情報に受信時刻もリンクさせて生体情報管理部２０３に記憶させてもよい。
【００２８】
さらに、制御部２０２は、メモリ２１１にある位置情報も生体情報にリンクさせて生体情報管理部２０３に記憶させてもよい。生体情報管理装置２３が複数の場所に設置されていて、サーバ３０が各生体情報管理装置２３から生体情報を取得する場合に、利用されると効果的である。サーバ３０は生体情報管理装置２３の位置で生体情報を管理することが可能になる。さらに、時刻と位置から利用者の移動状況までもサーバ３０で管理することができる。
【００２９】
また、生体情報計測通信装置１３は、生体情報管理装置２３が有している環境情報、時刻情報、位置情報を第２通信部２０４から第１通信部１０４を介して受信することができるように設定されていてもよい。この際、制御部１０２が、受信した環境情報、時刻情報、位置情報を計測した生体情報にリンクさせて生体情報蓄積部１０３にリンク済の生体情報、環境情報、時刻情報、及び位置情報を蓄積させることが可能になる。
【００３０】
以上に２種類の変形例を示したが、生体情報計測通信装置１０において、第１通信部１０４だけ別装置であっても良いし、生体情報計測部１０１だけ別装置であっても良く、それらの間は有線あるいは無線で通信を行う。また、第２通信部２０４は一つの場合のみ説明してきたが、生体情報管理装置２０が複数の第２通信部２０４を持つことも可能である。この場合、利用者がそれぞれの第２通信部２０４に接触するたびに生体情報管理装置２０がデータを受信することが可能になる。例えば、ドアノブ、パソコンのマウスなど、さまざまな場所に第２通信部２０４を配置しておき、利用者がそれらに接触している間に、自動的にデータを送受信するように設定する。
【００３１】
図４は、生体情報計測通信装置に接触検知部１０７がある場合の生体情報計測通信システムでのフロー図である。生体情報計測通信システムの処理動作を通信処理を中心に説明する。また、この前の段階で予め定められている計測スケジュールに応じて、生体情報計測部１０１は生体情報の計測を行い、計測済みの生体情報は生体情報蓄積部１０３に蓄積されているものとする。
まず、利用者の身体の一部が第２通信部２０４に接触しているか否かを生体情報計測通信装置１３の接触検知部１０７及び生体情報管理装置２３の接触検知部２０１がそれぞれ検知し、制御部１０２及び制御部２０２が接触非接触を判断する（ステップＳ１）。
【００３２】
接触していると判断された場合は、第１通信部１０４から利用者の身体を通じてデータ（生体情報）が第２通信部２０４へ送信される（ステップＳ２）。その際に、制御部１０２の指示により、メモリ１０８が蓄積したデータの中の送信したデータ位置を記憶する（ステップＳ３）。
【００３３】
予め生体情報計測通信装置１３に固有のＩＤを設定しておき送信データにヘッダあるいはフッタとして付加することで、利用者の特定をすることができる。この場合、一つの生体情報計測通信装置１３につき一人の利用者という制限が発生する。しかし、例えば、第２通信部２０４の利用者との接触面に指紋センサ２０８による個人認証センサを搭載することで、利用者がどの生体情報計測通信装置を使用しても指紋から個人を特定し、生体情報管理部２０３は受信データに個人のＩＤを付加して記憶／管理することができる。
【００３４】
生体情報蓄積部１０３に蓄積されているデータの送信がすべて完了していない場合は、ステップＳ１に戻り利用者の身体の一部が第２通信部２０４に接触している限り、第１通信部１０４から第２通信部２０４へデータの送信を継続する（ステップＳ４）。生体情報蓄積部１０３に蓄積されているデータがすべて送信されると図４のフローは終了する。
【００３５】
図５は、生体情報計測通信装置に接触検知部がない場合の生体情報計測通信システムでのフロー図である。また、図４と同様に、この前の段階で予め定められている計測スケジュールに応じて、生体情報計測部１０１は生体情報の計測を行い、計測済みの生体情報は生体情報蓄積部１０３に蓄積されているものとする。
まず、利用者の身体の一部が第２通信部２０４に接触しているか否かを生体情報管理装置２０の接触検知部２０１が検知し、制御部２０２が接触非接触を判断する（ステップＳ１１）。
【００３６】
接触していると判断された場合は、第２通信部２０４から第１通信部１０４へ送信要求信号が送信される（ステップＳ１２）。制御部１０２は送信要求信号を受信したことを確認するとその要求内容に応じたデータを送信するよう第１通信部１０４を制御する（ステップＳ１３）。
【００３７】
制御部２０２は要求内容通りのデータを受信したことを確認すると受信確認信号を第１通信部１０４に送信する（ステップＳ１４）。制御部１０２の指示により、メモリ１０８が蓄積したデータの中の送信したデータ位置を記憶しておく（ステップＳ１５）。生体情報蓄積部１０３に蓄積されているデータの送信がすべて完了していない場合は、利用者の身体の一部が第２通信部２０４に接触している限り、第１通信部１０４から第２通信部２０４へデータの送信を継続する（ステップＳ１６）。生体情報蓄積部１０３に蓄積されているデータがすべて送信されると図５のフローは終了する。
【００３８】
ステップＳ１３におけるデータ送信は、データを１データ単位ごとに送信して、このデータ単位ごとに受信確認信号を受信してもよい（Ｓ１４）。この場合は、制御部２０２は、データを１データ単位で送信してから所定の期間が経過しても、受信確認信号を監視して、受信確認信号が受信されない場合にのみ、メモリ１０８がデータ開始位置を記憶するように制御してもよい。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４０】
【発明の効果】
本発明の生体情報計測通信システムによれば、日常生活において収集された生体情報を、日常生活の中で利用者が意識することなく、データを外部の装置へ伝送し外部装置に蓄積することができる。
【図面の簡単な説明】
【図１】本発明の実施形態に係る生体情報計測通信システムの機能ブロック図。
【図２】本発明の実施形態に係る生体情報計測通信システムの第１変形例の機能ブロック図。
【図３】本発明の実施形態に係る生体情報計測通信システムの第２変形例の機能ブロック図。
【図４】生体情報計測通信装置に接触検知部がある場合の生体情報計測通信システムでのフロー図。
【図５】生体情報計測通信装置に接触検知部がない場合の生体情報計測通信システムでのフロー図。
【符号の説明】
１０、１３・・・生体情報計測通信装置、１１・・・生体情報蓄積モジュール、１２・・・生体情報計測モジュール、２０・・・生体情報管理装置、２１・・・接触検知モジュール、２２・・・生体情報管理モジュール、２３・・・生体情報管理装置、３０・・・サーバ、１０１・・・生体情報計測部、１０２、１０５、２０２、２０５・・・制御部、１０３・・・生体情報蓄積部、１０４・・・第１通信部、１０６・・・第３通信部、１０７、２０１・・・接触検知部、１０８・・・メモリ、２０３・・・生体情報管理部、２０４・・・第２通信部、２０６・・・第４通信部、２０７・・・電話通信部、２０８・・・指紋センサ、２０９・・・環境計測部、２１０・・・時計、２１１・・・メモリ
【図１】
2005021344.tif 000003
【図２】
2005021344.tif 000004
【図３】
2005021344.tif 000005
【図４】
2005021344.tif 000006
【図５】
2005021344.tif 000007